(57)【要約】  複数の層を支持する基板を有する発光装置であって、前記複数の層のうちの２つが、発光層を挟み、前記装置が、複数の独立してアドレス指定可能な領域にパターニングされる発光装置が開示されている。前記層のうちの少なくとも１つは、第１領域においては第１の厚さのものであり、第２領域においては第２の厚さのものであり、故に、前記発光層から光を放射させるのに十分である電圧が前記発光層の全面にわたって印加される場合、前記装置の前記第１領域によっては第１カラーポイントの光が発せられ、前記装置の前記第２領域によっては第２カラーポイントの光が発せられる。
2008530811.tif 000002
【特許請求の範囲】
【請求項１】
複数の層を支持する基板を有する発光装置であり、前記複数の層のうちの２つが、発光層を挟み、前記装置が、複数の独立してアドレス指定可能な領域にパターニングされる発光装置であって、
前記発光層から光を放射させるのに十分である電圧が前記発光層の全面にわたって印加される場合、前記装置の第１領域によっては第１カラーポイントの光が発せられ、前記装置の第２領域によっては第２カラーポイントの光が発せられるように、前記層のうちの少なくとも１つが、前記第１領域においては第１の厚さのものであり、前記第２領域においては第２の厚さのものであることを特徴とする発光装置。
【請求項２】
前記装置の第１領域においては第１の厚さを持ち、前記装置の第２領域においては第２の厚さを持つ前記層が、陽極層である請求項１に記載の装置。
【請求項３】
前記装置の第１領域においては第１の厚さを持ち、前記装置の第２領域においては第２の厚さを持つ前記層が、陰極層である請求項１に記載の装置。
【請求項４】
前記装置の第１領域においては第１の厚さを持ち、前記装置の第２領域においては第２の厚さを持つ前記層が、正孔注入及び／又は輸送機能を持つ層である請求項１に記載の装置。
【請求項５】
前記装置の第１領域においては第１の厚さを持ち、前記装置の第２領域においては第２の厚さを持つ前記層が、電子注入及び／又は輸送機能を持つ層である請求項１に記載の装置。
【請求項６】
前記発光層が、少なくとも第１の有機エレクトロルミネセント化合物を有する請求項１乃至５のいずれか一項に記載の装置。
【請求項７】
前記発光層が、少なくとも、第１の有機エレクトロルミネセント化合物と、第２の有機エレクトロルミネセント化合物とを有する請求項６に記載の装置。
【請求項８】
前記第１カラーポイントが第１の白色のカラーポイントであり、前記第２カラーポイントが第２の白色のカラーポイントである請求項７に記載の装置。 
【請求項９】
請求項１乃至８のいずれか一項に記載の発光装置を有する照明システム。
【請求項１０】
請求項１乃至８のいずれか一項に記載の発光装置を有する表示装置。
【発明の詳細な説明】
【技術分野】
【０００１】
本発明は、複数の層を支持する基板を有する発光装置であって、前記複数の層のうちの２つが発光層を挟み、前記装置が複数の独立してアドレス指定可能な領域(independently addressable domains)にパターニング(pttern)される発光装置に関する。
【背景技術】
【０００２】
フラットパネルディスプレイ内の光源として、及び環境照明の供給のためといった、幾つかの異なる照明用途のために、高分子(polymer)ＯＬＥＤ（ｐｏｌｙＬＥＤ）、小分子(small-molecule)ＯＬＥＤ（ｓｍＯＬＥＤ）及び発光電気化学セル（ＬＥＥＣ）などの有機ベースの発光ダイオード（ＯＬＥＤ）が提案されている。  
【０００３】
有機ＬＥＤの技術は、例えば、発光材料をベースにした、薄い自発光(self-emissive)ディスプレイの製造を可能にする。これらの材料は、例えば、小分子、デンドリマ(dendrimer)、オリゴマ(oligomer)及び高分子であり得る。
【０００４】
有機ＬＥＤは、一般的に、２つの導電性電極の間に挟まれる、電気的及び／又は光学的機能を持つ１つ以上の層を備える多層構造から成る。陽極には標準的なＩＴＯが用いられてもよく、陰極は、電子の注入を容易にするために特別に設計される。前記層のうちの少なくとも１つは、発光の役割を果たす活性層である。有機ＬＥＤのパフォーマンスを高めるために他の層があってもよい。例えば、正孔及び／又は電子の注入及び輸送層の挿入は、幾つかのタイプの有機ＬＥＤのパフォーマンスの向上をもたらすことが知られている。
【０００５】
従って、一般的なＯＬＥＤは、２つの導電性電極の間に挟まれる２つの有機層を有する。陽極から数えると、有機層のうちの第１層は、正孔輸送の役割を果たし、第２層は、光の生成の役割を果たす。発光層においては、陰極によって注入される電子と、陽極から注入される正孔とが、再結合し、励起子をもたらし、励起子は、光子を発生させる際に放射崩壊する。従って、発せられる光の色は、用いられる放射性材料(emissive material)のバンドギャップを変えることによって調整され得る。
【０００６】
照明用途の場合は、白色光源の、色調整機能(color-tunability)、即ち、カラーポイント（色温度）を所望の値に調整する機能は、非常に重要な機能である。消費者によって選ばれ得るカラーポイントが広ければ広いほど、良く整っている光源である。異なる色温度の人工光によって雰囲気が作成され得る「エモーショナル照明(Emotional lighting)」は、今後の光源の重要な機能とみなされている。
【０００７】
色の調整可能な有機ＬＥＤ光源を得るための或る一般的なアプローチは、フルカラーディスプレイにおいて通常行なわれているような、様々な発光材料をピクセルに分解する(pixelate)ことによって、様々な色のピクセルを１つの装置に組み込むものである。しかしながら、このようなアプローチは、２つ以上の発光材料の使用を必要とし、それなりに、製造するのが厄介である。
【０００８】
単一の発光材料を利用するｐｏｌｙＬＥＤによって発せられる光の色温度をユーザが選ぶことを可能にする装置は、Sunらに対する米国特許公報番号第6091197号に記載されている。
【０００９】
この特許において、Sunらは、共振キャビティを形成する高反射誘電性ミラーと、高反射調整可能膜とを含む色の調整可能な有機発光ダイオード（ＲＣＯＬＥＤ）を記載している。共振キャビティ内に白色光ＯＬＥＤが配置される。高反射調整可能膜は、共振キャビティ長を変えるよう動かされる、且つ／又は共振キャビティのフィネスを変えるよう傾けられる／曲げられる。この方法においては、ＲＣＯＬＥＤから発せられる光の色、明るさ及び彩度が調整され得る。この装置は、製造するのが非常に難しく、色の調整のために、例えば、反射膜を動かす、傾ける且つ／又は曲げることによって、装置に機械的影響を及ぼすことを必要とする。
【００１０】
従って、幾つかの異なる発光材料の必要性がないようにしてくれる、色の調整のために装置に機械的影響を及ぼすことを必要としない色の調整可能な発光装置のニーズが依然としてある。
【発明の開示】
【発明が解決しようとする課題】
【００１１】
本発明の１つの目的は、従来技術の上記の問題を解決することにある。
【課題を解決するための手段】
【００１２】
本願発明者は、驚くべきことに、ＯＬＥＤ装置によって発せられる光の、例えば演色評価数の図の中の或る座標によって規定されるような、カラーポイントが、光キャビティ、従って、光のアウトカップリング(out-coupling)に影響を及ぼす前記装置のあらゆる層の厚さに依存することを見出した。 
【００１３】
厚さにおいて幾つかの領域にパターニングされる層であって、前記領域が、個々に駆動される層を持つパターニングされたＯＬＥＤ装置を供給することによって、色の調整可能な装置は得られる。ここで用いられている色の調整可能な装置とは、例えばフィードバックシステムによって自動で又はユーザによって手動で、発せられる光のカラーポイントを制御する可能性を持つ発光装置を指す。従って、第１の態様においては、本発明は、ＯＬＥＤ技術に基づく発光装置であって、前記装置の各々の領域が、各々のカラーポイントを持つ光を発する発光装置を提供する。
【００１４】
このような装置は、複数の層を支持する基板を有し、前記複数の層のうちの２つは、有機エレクトロルミネセント化合物を有する発光層を挟み、前記装置は、複数の独立してアドレス指定可能な領域にパターニングされる。
【００１５】
本発明の装置においては、前記層のうちの少なくとも１つは、第１領域においては第１の厚さのものであり、第２領域においては第２の厚さのものである。この厚さの差のために、前記発光層を発光させるのに十分である電圧が印加される場合、前記装置の前記第１領域によっては第１カラーポイントの光が発せられ、前記装置の前記第２領域によっては第２カラーポイントの光が発せられる。
【００１６】
本発明の装置から発せられる光のカラーポイントは、色の可変な発光装置を達成するために、これらの部分の各々を独立して駆動することにより、各々の部分からの各々のカラーポイントの光を混合することによって調整され得る。
【００１７】
従って、１つの発光層材料しか用いずに、色の可変な発光ＯＬＥＤ装置が達成され得る。前記発光層以外の層であり、一般的にＯＬＥＤ装置に含まれる層であって、それ故に、第１領域においては第１の厚さのものであり、第２領域においては第２の厚さのものであり得る層は、陽極及び陰極を含む。前記陽極と前記発光層との間に配設される、正孔輸送及び／又は注入機能を持つバッファ層、又は前記発光層と前記陰極との間に配設される、電子輸送及び／又は注入機能を持つバッファ層などの他の層もまた、前記装置の第１領域においては第１の厚さを持ち、且つ前記装置の第２領域においては第２の厚さを持っていてもよい。
【００１８】
本発明による装置を得るために、このような層の１つ以上が、本発明による装置の第１領域においては第１の厚さのものであり、第２領域においては第２の厚さのものであってもよい。
【００１９】
前記陽極、陰極、正孔注入及び輸送層、並びに電子注入及び輸送層のための適切な材料は、当業者には既知である。本発明の実施例においては、前記発光層は、例えば、有機小分子発光体、オリゴマ発光体、高分子発光体又はデンドリマ発光体などの有機エレクトロルミネセント化合物（発光体）を有し得る。 
【００２０】
更に、発光材料は、２つ以上の異なる発光体、例えば、異なる色の光を発する２つの発光体及び／又は異なるタイプの２つの発光体のブレンド又は混合物を有し得る。本発明の装置は、白色光を供給し得る。特に、前記装置の第１領域に対応する前記第１カラーポイントは、第１の白色のカラーポイントであってもよく、前記装置の第２領域に対応する第２カラーポイントは、第２の白色のカラーポイントであってもよい。従って、本発明の複数領域装置を駆動する全てのありうる組み合わせは、白色光をもたらす。本発明による発光装置は、例えば、様々な照明システム、例えば、屋内照明、舞台照明において用いられてもよく、ＬＣＤディスプレイなどの表示装置におけるバックライト用途に用いられてもよい。  
【００２１】
ここで、以下の好ましい実施例の記載において、図面を参照して本発明を更に説明する。
【発明を実施するための最良の形態】
【００２２】
本発明の一実施例は、図１に示されており、基板１と、基板１上に配設される陽極２と、陽極２上に配設される正孔輸送バッファ層３と、正孔輸送バッファ層３上に配設される発光高分子（ＬＥＰ）層４と、ＬＥＰ層４上に配設される陰極５とを有する。  
【００２３】
正孔輸送バッファ層３は、第１領域１１において第１の厚さ３１のものであり、第２領域１２において第２の厚さ３２のものである。
【００２４】
陽極２及び陰極５は、ＬＥＤ駆動ユニット６に接続され、ＬＥＤ駆動ユニット６は、パターニングされた正孔輸送バッファ層３の各々の領域に対応する装置の領域が、光を発するよう独立して駆動され得るように陽極及び陰極を駆動する。正孔輸送バッファ層３の領域へのパターニング、及びそれらの領域の独立駆動は、装置が複数の異なる領域１１、１２にパターニングされることをもたらす。
【００２５】
装置の異なる領域１１、１２は、同じ電圧で駆動される場合、異なるカラーポイントの光を発する。従って、各々の領域を独立して駆動することにより、装置によって発せられる全体の色は、装置の個々の領域の各々のカラーポイントによって規定される範囲において調整され得る。
【００２６】
ここで用いられている「カラーポイント」という用語は、色度図における或る座標、例えば、１９３１ＣＩＥ標準の図（1931 CIE standard diagram）における（ｘ、ｙ）座標又は１９７６ＣＩＥ標準の図における（ｕ'、ｖ'）座標を指す。 
【００２７】
ここで用いられている「白色」光という用語は、例えば１９３１又は１９７６ＣＩＥ標準の図において規定されているような「白色」光の領域内のカラーポイントを持つ光を指す。
【００２８】
ここで用いられている「ＯＬＥＤ」という用語は、有機小分子（ｓｍＯＬＥＤ）、高分子（ｐｏｌｙＬＥＤ）、オリゴマ及びデンドリマをベースにした発光材料などの有機エレクトロルミネセント化合物をベースにした全ての発光ダイオード（ＬＥＤ）を指す。適切な基板の例は、ガラス、透明なセラミック及び透明なプラスチック基板を含むが、これらに限定されない。プラスチック基板は、適している場合にはガラス及びセラミックに取って代わる魅力的なものである。なぜなら、プラスチック基板は、他にも利点はあるが、とりわけ、軽量、安価且つ可撓性であるからである。陽極２は、基板上に配設され、イリジウムスズ酸化物（ＩＴＯ）などの当業者に既知の任意の適切な材料のものであり得る。
【００２９】
一般的に、発光高分子層によって発せられる光は、陽極側を通って装置を出る。そしてそこで、正孔輸送層の厚さによって色が調整される。従って、陽極は、好ましくは、透明又は半透明である。
【００３０】
本発明の第２の好ましい実施例においては、本発明による装置の色調整機能を供給するために、陽極２が、第１領域においては第１の厚さのものであり、第２領域においては第２の厚さのものである。正孔輸送バッファ層３は、陽極２と陰極５との間に印加される電界の影響を受けて、発光層４の方へ正孔（正電荷）を輸送し、発光層４に正孔を注入するよう、陽極２上に構成される。
【００３１】
本発明における使用に適した正孔輸送及び注入バッファ層の材料は、ＰＥＤＯＴ：ＰＳＳ（ポリエチレンジオキシチオフェンポリスチレンスルホン酸塩）及びＰＡＮＩ（ポリアニリン）を含むが、これらに限定されない。本発明の装置における使用に適した他の正孔輸送バッファ材料は、当業者には既知である。
【００３２】
図１に示されているように、正孔輸送バッファ層３は、厚さにおいて、第１の厚さ３１を持つ領域と、第２の厚さ３２を持つ領域とにパターニングされる。正孔輸送バッファ層は、厚さにおいて、３つ以上、例えば、３つ又は４つの異なる厚さの領域にパターニングされ得ることは、当業者には明らかであろう。
【００３３】
パターニングされた厚さを持つ正孔輸送バッファ層を形成するための多くの技術がありうる。例えば、陽極層上に材料のインクジェット印刷をすることによって、正孔輸送バッファ層を堆積させて、領域に相当する特定区域において堆積される材料の量、従って、領域に相当する特定区域の材料の厚さを制御し得る。別の適切な技術は、例えば、国際特許出願公開公報第 WO01/020691号及び国際特許出願公開公報第WO03/067333号において示されているような、バッファ層材料をスピンコーティングし、続いて、マスクを介したＵＶ照射などによって、材料のパターンニングされた硬化をさせ、未硬化材料を洗い落とすものを含む。
【００３４】
好ましくは、パターニングされた正孔輸送バッファ層の全ての領域において本質的に同じ材料が用いられる。
【００３５】
正孔輸送バッファ層は、各々の領域において厚さが独立して異なっていてもよく、厚さは、5乃至500nmの範囲内、好ましくは、10nmと300nmとの間であり得る。
【００３６】
正孔輸送及び注入バッファ層は、装置の機能に必須のものではない。従って、正孔輸送及び注入バッファ層は、本発明の装置に含まれてもよく、又は含まれなくてもよい。しかしながら、正孔輸送及び注入バッファ層は、一般に使用されるＯＬＥＤ装置の機能を向上させるので、通常用いられる。 
【００３７】
本発明の装置は、陰極５と発光層４との間に配設される電子輸送及び注入バッファ層を有し得る。なぜなら、このような層は、装置の機能を向上させ得るからである。
【００３８】
更に、このような電子輸送及び注入バッファ層は、本発明による装置の色調整機能を供給するために、上記で正孔注入及び輸送層について記載したように、第１領域においては第１の厚さのものであり、第２領域においては第２の厚さのものであり得る。 
【００３９】
電子注入及び／又は輸送機能を持つ適切な材料の例は、ＴＰＢＩ：２、２'、２''−（１、３、５−ベンゼントリイル）トリス［１−フェニル−１Ｈ−ベンズイミダゾール］と、ＤＣＰ：２、９ジメチル−４、７−ジフェニル−フェナントロリンと、ＴＡＺ：３−フェニル−４−（１'ナフチル）−５−フェニル−１、２、４−トリアゾールと、ＯＸＤ７：１、３−ビス（Ｎ、Ｎ−ｔ−ブチル−フェニル）−１、３、４−オキサジアゾールとを含むが、これらに限定されない。このような材料のより多くの例は、Adv. Mater. 16 (2004) 1585-1595及びAppl. Phys. Lett. (2002) 1738-1740に記載されている。
【００４０】
本発明の装置は、当業者には既知であるような光学的及び／又は電気的機能を持つ他の付加的な層も有し得る。発光層は、当業者には既知の任意の有機エレクトロルミネセント発光化合物又はこのような化合物の任意の組み合わせを有し得る。ほとんど全ての色の光が、このような有機エレクトロルミネセント化合物によって実現することが可能である。有機エレクトロルミネセント化合物の例は、エレクトロルミネセント有機小分子、オリゴマ、高分子及びデンドリマを含む。
【００４１】
例は、Ａｌｑ３：トリス（８−ヒドロキシ−キノリン）アルミニウムと、Ｉｒ（ｐｙ）３：トリス（２−フェニルピリジン）イリジウムとを含むが、これらに限定されない。より多くの例は、例えば、Adv. Mater. 16 (2004) 1585-1595及びAppl. Phys. Lett. (2002) 1738-1740に記載されている。 
【００４２】
通常のエレクトロルミネセント高分子は、ポリ（ｐ−フェニレンビニレン）（ＰＰＶ）又はポリフルオレン及びポリ（スピロ−フルオレン）の誘導体などの有機材料を含む。他のエレクトロルミネセント高分子は、当業者には良く知られている。
【００４３】
本発明の発光高分子層においては、任意の所望の色を得るために、任意のエレクトロルミネセント高分子又はこのような高分子の組み合わせが用いられ得る。例えば、青色発光高分子と赤色発光高分子との混合された組み合わせによって、本質的に白色の光が得られ得る。このような組み合わせの一例は下記の例に記載されている。様々な色の光を供給するための発光高分子の他の組み合わせ、及び１つの高分子鎖(polymer chain)上に様々な色素モノマを組み込む単一成分高分子は、当業者には既知である。
【００４４】
発光層は、発光層が電界の影響を受けて発光することが出来る任意の厚さであって、異なるタイプの装置の場合は異なるであろう任意の厚さを持ち得る。ここで、幾つかのｓｍＯＬＥＤ装置における最低限の厚さは約10nmであり、ＬＥＥＣ装置における最低限の厚さは約500nmである。
【００４５】
発光層は、とりわけ、スピンコーティング、噴霧(spraying)又はインクジェット、スクリーン若しくはグラビア印刷のような印刷を含む任意の適切な方法によってバッファ層上に配設され得る。
【００４６】
本発明は、エレクトロルミネセント有機小分子、オリゴマ及びデンドリマなどの有機エレクトロルミネセント化合物をベースにした他の発光材料にも関する。当業者には明らかであろうように、このような有機エレクトロルミネセント化合物の様々な組み合わせも本発明の装置において有用であり得る。
【００４７】
上記の説明は、単一の発光層に関する。しかしながら、幾つかの実施例においては、発光層は、重ねて配設される、例えば２つ又は３つといった２つ以上の別々の副層を有し得る。例えば、白色光を供給するために、橙色発光層の上に青色発光層が配設されてもよい。陰極は、随意に、電子注入及び輸送層などの付加的な層が陰極と発光層との間に挟まれるようにして、発光層の上に配設される。幾つかの陰極材料は、当業者に良く知られており、それらの全てが、適していると考えられる。適切な陰極材料の例は、カルシウム、マグネシウム及びアルミニウムを含む。  
【００４８】
一般に、本発明の装置は、発光層によって発せられる光が、陽極を通り、基板を通って装置を出るように構成される。しかしながら、本発明の幾つかの実施例においては、光は、陰極層を通って装置を出てもよい。従って、このような実施例においては、陰極は、発せられる光を透過する又は半透明である材料によって形成され得る。 
【００４９】
本発明の一実施例においては、本発明による装置の色調整機能を供給するために、陰極５が、装置の第１領域においては第１の厚さのものであり、装置の第２領域においては第２の厚さのものである。以下の例において示すように、装置によって発せられる光のカラーポイントは、正孔輸送バッファ層の厚さに依存する。
【００５０】
如何なる特定の理論にも縛られたくはないが、２つの効果がカラーポイントのこの変化の原因であり得る。  
【００５１】
同等の電圧において、厚いバッファ層は、薄いバッファ層と比べて低い電流密度をもたらす。これは、装置における電荷バランスが変わること、及び再結合領域が移動することを意味し得る。それ故、光のアウトカップリングが変えられ、カラーポイントの変化をもたらす。
【００５２】
第２に効果も、アウトカップリングに関連するが、装置の電気的特性の如何なる変化とも無関係に生じる。ｐｏｌｙＬＥＤからの光の波長依存アウトカップリングは、発光層の近くの全ての層の厚さに依存する。従って、ＰＥＤＯＴの厚さの違いは、異なるアウトカップリングをもたらし、それによって異なる色をもたらす。この色調整のメカニズムは、装置の電気的特性と無関係であることから、ＰＥＤＯＴの厚さの変更によって、同じ輝度において、異なるカラーポイントが得られ得る。本発明の装置においては、陽極及び陰極は、パターニングされたバッファ層の各々の領域に対応する装置の各々の部分が、独立して駆動されるように構成される。
【００５３】
ここで用いられている「独立してアドレス指定可能な領域」は、隣接領域の駆動に関係なく、領域が駆動することが可能であること、即ち、領域の全面にわたって電界を印加することが可能であることを指す。  
【００５４】
領域別駆動を達成するためにはどのように陽極及び陰極層を構成すべきかは当業者には明らかであろう。本発明の装置の能動駆動及び受動駆動の両方が適切であり得る。
【００５５】
従って、本発明の装置によって発せられる光全体のカラーポイントは、異なる個々のカラーポイントを持つ装置の各々の部分からの光を混合することによって変えられ得る。
【００５６】
好ましい実施例の上記の説明は、例示的なものでしかなく、当業者には、これらの実施例に対する修正例及び変形例は、明らかであろう。このような修正例及び変形例も添付した特許請求の範囲内に含まれる。例えば、幾つかの実施例においては、色の調整可能な発光装置を提供するために、陽極及び／又は陰極も、上記でパターニングされたバッファ層について記載したように、厚さにおいてパターニングされ得る。
【００５７】
更に、本発明の装置によって発せられる光のカラーポイントは、装置を駆動する電圧に依存することが明らかになった。この効果は、色の可変な発光装置を達成するために、上記のような、層の厚さを変えることの色の効果と組み合され得る。
【００５８】
本発明の或る実施例においては、複数の独立してアドレス指定可能な領域は、単一の基板上に配設され、単一の複数領域ＬＥＤ装置を形成する。
【００５９】
本発明の別の実施例においては、異なる独立してアドレス指定可能な領域は、別々の基板上に配設され、複数ＬＥＤ装置を形成する。
【００６０】
ここで、以下の、これには限定されない例によって本発明を更に説明する。
【００６１】
〔例〕異なるＰＥＤＯＴ層厚は異なるカラーポイントをもたらす。
【００６２】
各々、50nm、100nm及び200nmの厚さであるＰＥＤＯＴ層厚以外は同一である３つのｐｏｌｙＬＥＤが製造された。80nmの厚さの発光高分子の層が用いられた。発光高分子は、９９％の青色発光高分子（青色１、式Ｉ）と、１％の赤色発光高分子（ＮＲＳ−ＰＰＶ、式ＩＩ）との混合物で構成された。
【数１】
2008530811.tif 000003
式Ｉ、青色１、ｋ＝０、１、ｍ＝０、５、ｎ＝０、４
【数２】
2008530811.tif 000004
式ＩＩ、ＮＲＳ−ＰＰＶ
【００６３】
５ボルトのバイアスにおいて３つの異なる装置からのスペクトルが比較された。結果は、ＰＥＤＯＴ層厚の増大がｘ及びｙ座標のの増大をもたらすことをはっきりと示している（図２及び３）。
【００６４】
この例は、ＰＥＤＯＴ層厚の関数としてのカラーポイントの変化をはっきりと示している。これらの３つのピクセルで入手可能な色温度は、全て約１００００Ｋである。
しかしながら、他のエレクトロルミネセント化合物又は他の厚さのＰＥＤＯＴ層を用いれば、他の色温度も入手可能であり得る。
【００６５】
興味のある輝度範囲においてカラーポイントの意味のある変化が達成され得ることは明らかであろう。 
【００６６】
用いられている厚さの範囲は実用のものである。従って、効率は、高い電力消費を招くであろう非常に低い値までは落ちず、必要とされる電圧は極端ではない。  
【００６７】
実際的な実施例は、グラフに示されている厚さを持つ３つのタイプのピクセルを持つものであろう。その場合、適切に駆動することによって、図３の極値間の全ての色が生成され得る。例えば、各厚さの表面積が等しい場合には、１００ニト(cd/m2)(0.23; 0.27)は、50nmＰＥＤＯＴピクセルの３００ニト駆動を必要とするであろう。
【００６８】
幾つかのアプリケーションにおいては、本発明の装置によって、白色又は本質的に白色の光が有利に発せられ得る。しかしながら、本発明は、決して、白色光を発する装置には限定されず、例えば、他の色の光を発生させるエレクトロルミネセント化合物を利用することによって、他の色の調整可能光を供給する装置も得られ得る。 
【図面の簡単な説明】
【００６９】
【図１】パターニングされたＰＥＤＯＴ：ＰＳＳ層を備える本発明の発光装置を断面図で図示する。
【図２】80nmの厚さの発光高分子層を持ち、50nm、100nm及び200nmという異なるＰＥＤＯＴ：ＰＳＳ層厚を持つ装置の電界発光スペクトルのグラフである。
【図３】80nmの厚さの発光高分子層を持ち、50nm、100nm及び200nmという異なるＰＥＤＯＴ：ＰＳＳ層厚を持つ装置の色座標の図である。
【図１】
2008530811.tif 000005
【図２】
2008530811.tif 000006
【図３】
2008530811.tif 000007
【国際調査報告】
2008530811.tif 000008
2008530811.tif 000009